(57)【特許請求の範囲】
【請求項１】
サブラックを実装するための構造ラックの枠体を構成するラックと、
前記ラックを構成する左右の枠体へ連結されたカバーと、
前記枠体と前記カバー間を開閉自在に連結するチョウバンと、
前記サブラックと当該ラックとを挟持して該サブラックを当該ラックへ固定させるトクシュネジと、該トクシュネジと連結するためのタップが側面に形成された略円柱状のストッパーとを有し、
前記カバーを前記ラックの枠体部に対して観音開き状に開閉自在に構成し、
前記サブラックを前記ラックへ搭載時に前記カバーを開とし、固定後に閉とし、該固定に用いたネジ等の該搭載のための構成部を前記カバーで覆い、
前記構造ラックの枠体の前面部に右方向への長尺状のスリットを構成し、該スリットへ前記トクシュネジを貫通させて前記サブラックを当該ラックへ保持し、
前記トクシュネジは、頭部と軸部（バー）と頭部側のネジ部（タップ）と先端側のネジ部（タップ）とで構成され、前記スリットのスリット間隔長より外形径の大きい前記頭部を前面側とし、かつ前記スリットのスリット間隔長より外形径の小さい前記軸部と先端側のネジ部を後面側として該スリットを貫通させ、前記頭部側のネジ部と前記ラックとをネジ合わせして前記サブラックを当該ラックへ固定させ、かつ、前記先端側のネジ部と前記ストッパーとをネジ合わせすることで該固定を緩めた際の該トクシュネジの当該ラックからの脱落防止を図り、
外観上の見栄えと作業性を向上させたことを特徴とする構造ラック。
【請求項２】
前記カバーの開閉を固定するために、前記構造ラックへ該カバーを連結するためのコテイネジ取り付け部をさらに構成したことを特徴とする請求項１記載の構造ラック。
【発明の詳細な説明】
【０００１】
【発明の属する技術分野】
本発明は、構造ラックに関し、例えば、制御機器または制御装置等を組み込むことを目的とした構造ラックに関する。
【０００２】
【従来の技術】
従来、構造ラックは一般に、少量生産の制御機器または制御装置等のユニットおよび構成部品を効率よく組み込み多用性を高めるべく、汎用的な構造に構成されている。
【０００３】
いわゆる、多量生産の特定の製品にのみ用いる特定利用のラックと利用の形態が異なり、多種・多様な目的に対応し、より柔軟に適合を可能とする。このために、汎用性の高い構造を有した基礎構造体として構成される。多くの場合には、さらに、基礎構造体と多くの選択的な付加部品とが準備されて構成される。
【０００４】
本発明と技術分野の類似する先願発明例１として特開２０００−２２３８６７号公報の「ラックマウント装置の実装構造」がある。本先願発明例１は、ラックマウント装置あるいは保守作業時に落下の危険を回避することができ、保守作業性の優れた簡素なラックマウント装置の実装構造を提供することを目的としている。この目的において、ラックマウント装置をスライドできる断面コの字型アングル部材で溝を形成するレールと、このレールの溝と摺動可能とする凸部を形成する側面板を備えたラックマウント装置とで構成している。
【０００５】
先願発明例２の特開平１１−３０７９４６号公報の「筐体固定構造」は、簡易な構造により、筐体を引き出す際に筐体の落下防止機能を発揮させることができる筐体固定構造を開示している。
【０００６】
【発明が解決しようとする課題】
しかしながら、上記従来技術の構造ラックは、汎用性をより強く求めるため、特殊な機能・装備が軽んじられ脇に置かれる危険性を有している。例えば、構造部品の紛失、落下および取付け忘れ防止等に対する対応策が薄弱と成りやすい等の問題を伴う。より具体的な問題点を、以下に列挙する。なお、図１２（ａ）および図１２（ｂ）は、従来の構造ラックの構成例を示す外観斜視図である。
【０００７】
第１の問題点として、図１２に示すようにカバー２を取り外すと、カバー２は単体になる。このため、取り外し作業時の落下の危険性および紛失のおそれがある。
【０００８】
第２の問題点として、サブラック７の固定に標準ネジを用いると、（標準）ネジ１０の持ち運びおよび取付け時の落下により紛失等が生じ、作業性が悪くなる。なお、本明細書中での用語“サブラック”は、ラック本体に実装する搭載物の総称として用いている。
【０００９】
本発明は、部品の紛失・落下および取付け忘れ防止、並びに作業性高上対策を施した構造ラックを提供することを目的とする。
【００１０】
【課題を解決するための手段】
かかる目的を達成するため、本発明の構造ラックは、サブラックを実装するための構造ラックの枠体を構成するラックと、ラックを構成する左右の枠体へ連結されたカバーと、枠体と前記カバー間を開閉自在に連結するチョウバンと、サブラックと当該ラックとを挟持して該サブラックを当該ラックへ固定させるトクシュネジと、該トクシュネジと連結するためのタップが側面に形成された略円柱状のストッパーとを有し、カバーをラックの枠体部に対して観音開き状に開閉自在に構成し、サブラックをラックへ搭載時にカバーを開とし、固定後に閉とし、この固定に用いたネジ等の搭載のための構成部をカバーで覆い、構造ラックの枠体の前面部に右方向への長尺状のスリットを構成し、このスリットへトクシュネジを貫通させてサブラックを当該ラックへ保持し、トクシュネジは頭部と軸部（バー）と頭部側のネジ部（タップ）と先端側のネジ部（タップ）とで構成され、スリットのスリット間隔長より外形径の大きい頭部を前面側とし、かつスリットのスリット間隔長より外形径の小さい軸部と先端側のネジ部を後面側として該スリットを貫通させ、頭部側のネジ部とラックとをネジ合わせしてサブラックを当該ラックへ固定させ、かつ、先端側のネジ部とストッパーとをネジ合わせすることで該固定を緩めた際の該トクシュネジの脱落防止を図り、外観上の見栄えと作業性を向上させたことを特徴としている。
【００１３】
なお、上記の構成においては、カバーの開閉を固定するために構造ラックへ該カバーを連結するためのコテイネジ取り付け部をさらに有することがより好ましい。
【００１４】
【発明の実施の形態】
次に、添付図面を参照して本発明による構造ラックの実施の形態を詳細に説明する。図１から図１１を参照すると、本発明の構造ラックの一実施形態が示されている。
【００１５】
本発明の構造ラックの構成の内容を、図１から図６に基づき以下に説明する。本発明の実施形態を示す図１から図６において、図１はラックの全体を示す斜視図であり、図２は図１Ａ部の詳細図でありカバー解放状態を示している。また、図３は図２のＢ部矢視図、図４は同Ｃ部矢視図、図５は同Ｄ部詳細図である。さらに、図６は、ストッパーとトクシュネジの詳細な構成例を示している。
【００１６】
本実施形態の構造ラックは、ラック１、カバー２、（カバー）コテイネジ３、チョウバン４、トクシュネジ５、スリット６、サブラック７、ストッパー８、の各部を有して構成される。なお、上記のトクシュネジ５は、二段構成のタップ９ａとタップ９ｂ、およびこれらのタップ９ａ、９ｂ間を連結するバー１１の各部により構成される。
【００１７】
本構造ラックは、構造的な特徴として、下記の第１から３の特徴を有している。まず、第一の構造的な特徴として、チョウバン４を使用してラック１とカバー２間を連結させ、脱落防止構造のカバーコテイネジ３によりラック１に固定させ、コテイネジ３を外さない限りカバー２を開くことができない構造に構成される。
【００１８】
第２の特徴として、カバーコテイネジ３を緩めることにより、カバー２を動かすことができる。このカバー２の動作は、チョウバン４の回転軸を中心に開く観音扉状の構造とされる。
【００１９】
第３の特徴として、トクシュネジ５の雄ネジ側のタップ９ａを、スリット６の間隔より径の太いストッパー８に設けられた雌ネジ側のタップ９ａへ、ラック１のスリット６を通して組み合わせる。また、トクシュネジ５にはタップ９ａより外形寸法のより大きいタップ９ｂが設けられており、このタップ９ｂによりこれとネジ合わせされるラック１背面のナットへ締め付けられ、トクシュネジ５を固定することができる。また、ストッパー８により、ラック１からトクシュネジ５の脱落を防止する。さらに、トクシュネジ５のタップ９ａとタップ９ｂ間のバー１１は、スリット６の間隔より径が細いため、トクシュネジ５がラック１のスリット６を横方向へ自由に移動することができる構造とされる。
【００２０】
（動作例）
図２から図６およびラックとカバーの関係を示す図７から図１０において、ラック１へ実装する物の一例であるサブラック７の固定方法を説明する。
【００２１】
図７（ａ）に示すように、カバー２がカバーコテイネジ３によりラック１へ固定された状態では、カバー２を開くことができない。このため、カバーコテイネジ３を緩め、カバー２を図７（ｂ）に示すようにチョウバン４の回転軸を中心に可動状態に開く。図７（ｂ）のように、カバー２を開くことにより、ラック１のタップ９ｂに固定されているトクシュネジ５の操作ができるようになる。
【００２２】
図６に示すトクシュネジ５のタップ９ｂが、ラック１側のタップ９ｂから完全に外れる状態まで緩め、ストッパー８がラック１の内側にぶつかるまで、図８（ａ）に示す矢印１の方向へトクシュネジ５を移動させる。トクシュネジ５のバー１１が、ラック１のスリット６を通るように矢印２の方向へトクシュネジ５を移動させる。
【００２３】
図８（ｂ）に示すように、ラック１に取り付けられているトクシュネジ５を全て緩め、ラック１の手前側サイドに移動させ終えたら、図９（ａ）、および図９（ｂ）に示すように、トクシュネジ５が通り、かつラック１のタップ９ｂと位置が一致するようなキリカキ１２を持ったサブラック７をラック１に実装させる。
【００２４】
図１０（ａ）に示すように、トクシュネジ５をラック１のスリット６とサブラック７のキリカキ１２を通しラック１のタップ９ｂの位置に移動させ、図１０（ｂ）に示すように、トクシュネジ５により、サブラック７を挟みつつ、ラック１のタップ９ｂで、トクシュネジ５を締め込むことにより、サブラック７をラック１へ固定することができる。
【００２５】
ラック１に取り付けられている全てのトクシュネジ５により、サブラック７の固定が完了し次第、ラック１にチョウバン４によって取り付けられているカバー２を図７（ａ）のように戻し、カバー２をカバーコテイネジ３によって、ラック１へ固定することにより、ラック１へのサブラック７の実装が終了する。
【００２６】
（効果）
上記の実施形態によれば、図１から図６に示すように、ラック１内にサブラック７（ラック１に実装する物の総称）を実装する際、カバー２がチョウバン４により、ラック１に固定されている。これにより、カバーコテイネジ３を外しても、カバー２はラック１からは取り外せないため、カバー２の紛失および落下の危険性のない構造となる。さらに、サブラック７の固定に使用するトクシュネジ５をストッパー８と組み合わせることにより、ラック１のスリット６から外れず、スライドする構造とする。この構造により、トクシュネジ５はラック１の一部の機能として組み込まれるため、ネジ単体での紛失、落下および、締結忘れのない構造となる。
【００２７】
上記実施形態により生じる第１の効果は、部材が全てラック側に固定されており、カバーの取り外しの際、落下する危険性がなくなり、安全性が向上することである。さらに、サブラックの構造ラックへの取り付け、取り外しの作業性が向上する。
【００２８】
第２の効果は、サブラックの実装の際は、あらかじめラックに取り付けられている特殊ネジを使用すればよく、ラックの添付品としてネジを手持ちする必要がない。このため、作業性が向上する。
【００２９】
第３の効果は、特殊ネジがラックに取り付けられているため、締結ネジの本数が不足することはなく、また、従来の標準ネジの場合より目視によるネジ止め忘れのチェックが容易になる。このため、信頼性が向上する。
【００３０】
（変化例）
図１１は、上記実施例に付随する変化例を説明するための図である。図１１の（１）から（４）は、トクシュネジ５のネジ頭形状の各種の実施例を示している。（１）はプラスからマイナスに変更したもの、（２）は六角穴付き、（３）は直線ローレット、（４）はダイヤモンドローレットを付加したもの、をそれぞれ示している。
【００３１】
また、図１１に示すように、ネジ頭を特殊形状にすることにより、その形状にあった工具を用いなければサブラックの取り外しができない。このため、防犯の効果も生じる。さらに、図１１の（３）および（４）のようなローレットを採用することにより、専用工具が必要なく作業が可能となり、作業性が向上する。
【００３２】
尚、上述の実施形態は本発明の好適な実施の一例である。ただし、これに限定されるものではなく、本発明の要旨を逸脱しない範囲内において種々変形実施が可能である。
【００３３】
【発明の効果】
以上の説明より明らかなように、本発明の構造ラックは、ラックと、このラックへ固定されの化粧板となるカバーと、ラックとカバー間を開閉自在に連結するチョウバンとを有し、カバーはラックの枠体部に対して観音開き状に構成され、サブラックをラックへ搭載するための構成部を覆う。よって、部材が全てラック側に固定されており、カバーの取り外しの際、落下する危険性がなくなり、安全性が向上する。さらに、外観上の見栄えと作業性を向上させる。
【図面の簡単な説明】
【図１】本発明の構造ラックの実施形態を示すラック全体を示す斜視図である。
【図２】図１に示すＡ部の詳細図であり、使用形態および構成を示す斜視図である。
【図３】図２に示すＢ部の矢視図である。
【図４】図２に示すＣ部の矢視図である。
【図５】図２に示すＤ部の詳細図である。
【図６】ストッパーとトクシュネジの詳細を示している。
【図７】カバーのラックへの固定方法を示す図である。
【図８】カバーの操作手順例を示す図である。
【図９】サブラックの実装手順例１を示す図である。
【図１０】サブラックの実装手順例２を示す図である。
【図１１】トクシュネジ５のネジ頭形状の各種の実施例を示している。
【図１２】従来技術の構造ラックの全体を示す斜視図である。
【符号の説明】
１  ラック
２  カバー
３  カバーコテイネジ
４  チョウバン
５  トクシュネジ
６  スリット
７  サブラック
８  ストッパー
９  タップ（ネジ部）
１０  ネジ
１１  バー
１２  サブラックに設けられたキリカキ
【図１】
0003799230.tif 000002
【図２】
0003799230.tif 000003
【図３】
0003799230.tif 000004
【図４】
0003799230.tif 000005
【図５】
0003799230.tif 000006
【図６】
0003799230.tif 000007
【図７】
0003799230.tif 000008
【図８】
0003799230.tif 000009
【図９】
0003799230.tif 000010
【図１０】
0003799230.tif 000011
【図１１】
0003799230.tif 000012
【図１２】
0003799230.tif 000013